(57)【要約】【課題】釣竿に装着されるリールを固定するためのダブルナットが弛むのを効果的に防止できるようにする。【解決手段】釣竿１のリール保持部材２に装着されるリールＲを固定するダブルナット３が弛むのを防止するため、ダブルナット３の第１ナット３ａと第２ナット３ｂの対向面に凹溝６を設け、この凹溝６に、ゴム製または樹脂製等の弾性リング５を嵌め込むことにより、各ナット３ａ、３ｂを締め付け合った際、弾性リング５同士が圧接し合うようにする。【選択図】　　　　図２
0003097858.tif 000002
【実用新案登録請求の範囲】
【請求項１】
釣竿のリール保持部材に装着されるリールを固定するダブルナットが弛むのを防止するようにした弛み止め構造であって、前記ダブルナットのそれぞれのナットの対向面には、各ナットの締め付けによって圧接し合う弾性リングが埋め込まれていることを特徴とするリール固定用ダブルナットの弛み止め構造。
【請求項２】
釣竿のリール保持部材に装着されるリールを固定するダブルナットが弛むのを防止するようにした弛み止め構造であって、前記ダブルナットのそれぞれのナットの対向面には、中心側に向けて徐々に彫り込みが深くなる凹溝が形成され、また、各ナットの中間部のオネジ部には、弾性リングが介装されることを特徴とするリール固定用ダブルナットの弛み止め構造。
【請求項３】
前記ダブルナットのうち、リール保持部材側のナットの外側面には、ベアリングが埋め込まれることを特徴とする請求項１又は請求項２に記載のリール固定用ダブルナットの弛み止め構造。
【考案の詳細な説明】
【０００１】
【考案の属する技術分野】
本考案は、釣竿にリールを固定するためのダブルナットが弛むのを防止する技術に関する。
【０００２】
【従来の技術】
従来、釣竿のリール保持部材に装着されるリールをダブルナットで固定する際、ダブルナットが弛むのを防止する技術として、例えばダブルナットのネジの向きを異ならせるような技術（例えば、特許文献１参照）や、ダブルナットの間に滑り部材を介在させて、一方側のナットの回転力が他方側のナットに伝達されないようにする技術（例えば、特許文献２参照）や、ダブルナット間に環状のゴムワッシャーを介在させることにより、ナットのネジ部の摩擦力を高めると同時に、ナット同士間の摩擦力を高めるようにした技術（例えば、特許文献３参照）が知られている。
【０００３】
【特許文献１】
特開平１１−３４６６０９号公報
【特許文献２】
特開２０００−４１５４０号公報
【特許文献３】
実用新案登録第３０７０６８６号公報
【０００４】
【考案が解決しようとする課題】
ところが、ダブルナットのネジの向きを異ならせるような方法は、構造が複雑化するとともに操作が煩雑となるという問題があり、また、ダブルナットの間に滑り部材を介在させる方法は、ナットの共回り防止には一定の効果があるものの、ナットのネジ部の摩擦力をあまり高めることが出来ず、弛み防止に限界がある。また、ダブルナットの間に環状のゴムワッシャーを介在させる方法は、ナット同士を締め付け合う際に、圧接させるゴムワッシャーが変形して部分的に外部に飛び出したり、ゴムワッシャーがナットの圧接面から外れたりしてナット同士の摩擦力が低下するような不具合がある。
【０００５】
そこで本考案は、簡易な構造でありながら、ダブルナットの弛み防止が効果的に図られるようにすることを目的とする。
【０００６】
【課題を解決するための手段】
上記目的を達成するため本考案は、釣竿のリール保持部材に装着されるリールを固定するダブルナットが弛むのを防止するようにした弛み止め構造において、前記ダブルナットのそれぞれのナットの対向面に、各ナットの締め付けによって圧接し合う弾性リングを埋め込むようにした。
【０００７】
このように、各ナットの対向面に弾性リングを埋め込み、ナットの締め付けによって弾性リングが圧接し合うようにすれば、ダブルナット間に単に弾性リングを介装するような不具合、すなわち、弾性リングが変形して外部に飛び出したり、ナットの圧接面から外れたりするような不具合がなくなり、ナット同士間の摩擦力が低下することがない。
ここで、弾性リングとしては、ゴム製、樹脂製等のＯリングが適用可能である。
【０００８】
また本考案では、釣竿のリール保持部材に装着されるリールを固定するダブルナットが弛むのを防止するようにした弛み止め構造において、前記ダブルナットのそれぞれのナットの対向面に、中心側に向けて徐々に彫り込みが深くなる凹溝を形成し、また、各ナットの中間部のオネジ部に、弾性リングを介装するようにした。
【０００９】
このように、ダブルナットのそれぞれのナットの対向面に、中心側に向けて徐々に彫り込みが深くなる凹溝を形成し、各ナットを締め付けた際、弾性リングが圧縮されるようにすれば、ナット間の摩擦抵抗を高めることが出来ると同時に、圧縮された弾性リングが外側にはみ出るような不具合を防止出来る。
また、弾性リングが圧縮された際、オネジ部に圧着されるようにしておけば、ナット間の摩擦抵抗のみならず、弾性リングとオネジ部との摩擦抵抗も高まって、ダブルナットの弛み止めに一層効果的である。
【００１０】
また本発明では、前記ダブルナットのうち、リール保持部材側のナットの外側面に、ベアリングを埋め込むようにした。
そして、締め付け状態において、このベアリングをリール保持部材に当接させておくことにより、リール保持部材に振動や回転力が生じても、ベアリングの作用によりダブルナット側に伝達されず、ダブルナットが弛むような不具合を一層抑制出来る。
【００１１】
【考案の実施の形態】
本考案のダブルナットの弛み止め構造の構成例について添付した図面に基づき説明する。
ここで図１は本考案の弛み止め構造の第１構成例を採用した釣竿の要部を示す部分図、図２は第１構成例によるリールの固定状態を示す部分断面図、図３は同ダブルナットの分解斜視図、図４は同ダブルナットの断面図、図５は弛み止め構造の第２構成例の説明図、図６は一方側のナットの外側面にベアリングを埋め込んだ第３構成例の説明図である。
【００１２】
本考案に係るダブルナットの弛み止め構造は、釣竿のリール保持部材にリールを装着してダブルナットで固定した後、ダブルナットが弛むのを防止するための技術であり、釣竿を操作中に振動があった場合でも、誤ってダブルナットに手が触ってダブルナットに弛む方向に回転力が与えられた場合でも、リールがガタついたり不安定になったりするような不具合を生じないようにされている。
【００１３】
まず、本弛み止め構造の第１構成例から説明すると、図１、図２に示すように、釣竿１には、リールＲを保持するためのリール保持部材２と、このリール保持部材２を介してリールＲを固定するためのダブルナット３が設けられており、前記リール保持部材２は、リールＲの基端側の脚Ｒａが挿し込み可能で且つ釣竿１側に固定される固定フード２ａと、リールＲの前方側の脚Ｒｂが挿し込み可能で且つ軸方向に沿って前後動可能な可動フード２ｂを備えるとともに、前記ダブルナット３は、釣竿１のオネジ部４に螺合する第１ナット３ａと第２ナット３ｂを備えている。
【００１４】
そして、図２に示すように、リールＲの前後の脚Ｒａ、Ｒｂを固定フード２ａと可動フード２ｂの脚挿入部に挿し込んだ後、第１ナット３ａを可動フード２ｂ側に回転させてリールＲを固定する位置までねじ込み、その後、第２ナット３ｂを回転させて第１ナット３ａに圧接する位置までねじ込むと、今度は逆に第１ナット３ａを第２ナット３ｂ側に向けて回転させることで、ナット３ａ、３ｂ同士を締め付け合って弛みをなくすのが一般的なダブルナットによる固定法である。
【００１５】
この際、各ナット３ａ、３ｂのメネジとオネジ部４のネジ山、ネジ溝同士の遊びの間隔が少なくなって摩擦抵抗が増大するとともに、両方のナット３ａ、３ｂの圧接面部の摩擦抵抗も増大して各ナット３ａ、３ｂの弛み防止が図られるが、本考案の第１構成例では各ナット３ａ、３ｂの圧接面部に弾性リング５を埋め込むことにより、ナット３ａ、３ｂ同士の摩擦抵抗を一層増大させるようにしている。
【００１６】
すなわち、図３、図４に示すように、各ナット３ａ、３ｂの対向面には環状の凹溝６が形成されており、この環状の凹溝６にゴム製または樹脂製等の弾性リング５が嵌め込まれている。
そして、弾性リング５を嵌め込んだ状態で、弾性リング５の一部が、各ナット３ａ、３ｂの前面または後面から外部に突出するようにしている。
【００１７】
以上のような弛み止め構造において、図２に示すように、リールＲの前後の脚Ｒａ、Ｒｂを固定フード２ａと可動フード２ｂの脚挿入部に挿し込み、第１ナット３ａを可動フード２ｂ側に回転させてリールＲを固定する位置までねじ込む。次いで、第２ナット３ｂを回転させて第１ナット３ａに圧接する位置までねじ込んだ後、第１ナット３ａを逆に回して第２ナット３ｂ側に向けて締付けることで、ナット３ａ、３ｂ間の弛みをなくす。この際、各ナット３ａ、３ｂとオネジ部４のネジ山、ネジ溝の遊びが少なくなって摩擦抵抗が増大するとともに、弾性リング５同士が圧接し合ってナット３ａ、３ｂ同士の摩擦抵抗も増大し、各ナット３ａ、３ｂが単独で弛むような不具合が抑制される。
また、弾性リング５が変形しても、ナット３ａ、３ｂの圧接面から外れて外側に飛び出たりするような不具合はない。
【００１８】
次に、図５に基づいて、本考案の第２構成例の弛み止め構造について説明する。
この構成例は、ダブルナット３の各ナット３ａ、３ｂの対向面に、中心側に向けてテーパ状に彫り込みが深くなる凹溝６ｔを形成するとともに、各ナット３ａ、３ｂの中間部のオネジ部４に、弾性リング７を介在させるようにしたものである。そして、図５（ｂ）に示すように、各ナット３ａ、３ｂを締め付け合った際、弾性リング７が圧縮力を受けると同時に、オネジ部４に圧着するようにしており、各ナット３ａ、３ｂ間の摩擦抵抗のみならず、弾性リング７とオネジ部４との間の摩擦力も高まるようにしている。
また、各ナット３ａ、３ｂの圧接面は中心側に向けてテーパ状に傾斜しているため、弾性リング７が外側にはみ出るような不具合はなく、中心側のオネジ部４側に向けて圧接されるため、弾性リング７とオネジ部４との間の摩擦力を高めるのに好都合である。
【００１９】
ところで、図６は、ダブルナット３のうち、可動フード２ｂ側の第１ナット３ａの外側面にベアリング８を埋め込むようにした第３構成例の説明図である。
そして、このベアリング８をリール保持部材２の可動フード２ｂの前面に当接させることにより、可動フード２ｂの振動や回転力がダブルナット３に伝わりにくくなるものである。
尚、図６（ａ）は第１構成例の第１ナット３ａの外側面にベアリング８を埋め込み、図６（ｂ）は第２構成例の第１ナット３ａの外側面にベアリング８を埋め込んだものである。
【００２０】
以上のような弛み止め構造において、リール操作中等に可動フード２ｂが振動したり、弛む方向に回転力が与えられた場合でも、ベアリング８の作用によりダブルナット３に回転力が伝達されず、リールＲが弛んだりガタついたりするような不具合がない。
【００２１】
尚、本考案は以上のような実施形態に限定されるものではない。本考案の実用新案登録請求の範囲に記載した事項と実質的に同一の構成を有し、同一の作用効果を奏するものは本考案の技術的範囲に属する。
【００２２】
【考案の効果】
以上のように本考案に係るダブルナットの弛み止め構造は、ダブルナットでリール保持部材を固定するようにした弛み止め構造において、ダブルナットのそれぞれのナットの対向面に、各ナットの締め付けによって圧接し合う弾性リングを埋め込むようにしたため、ナット同士間の摩擦抵抗が増大して弛み防止に効果的であり、また弾性リングが外部に飛び出すような不具合を防止出来る。
また、ダブルナットのそれぞれのナットの対向面に、中心側に向けて徐々に彫り込みが深くなる凹溝を形成し、各ナットの中間部のオネジ部に弾性リングを介装するようにすれば、各ナットを締め付けた際、弾性リングの介在によってナット間の摩擦抵抗が高まると同時に、圧縮された弾性リングが外側にはみ出るような不具合を防止出来、しかも、弾性リングが圧縮された際、オネジ部に圧着されるようにしておけば、ナット間の摩擦抵抗のみならず、弾性リングとオネジ部との摩擦抵抗も高まって、ダブルナットの弛み止めに一層効果的である。
そして、ダブルナットのうち、リール保持部材側のナットの外側面に、ベアリングを埋め込むようにすれば、リール保持部材に振動や回転力が生じてもベアリングの作用によりダブルナット側に伝達されず、ダブルナットが弛むような不具合を一層抑制出来る。
【図面の簡単な説明】
【図１】本考案の弛み止め構造の第１構成例を採用した釣竿の要部を示す部分図
【図２】第１構成例によるリールの固定状態を示す部分断面図
【図３】同ダブルナットの分解斜視図
【図４】同ダブルナットの断面図
【図５】弛み止め構造の第２構成例で、（ａ）は締め付け前の説明図、（ｂ）は締め付け状態の説明図
【図６】第１ナットの外側面にベアリングを埋め込んだ第３構成例の説明図で、（ａ）は第１構成例に適用したもの、（ｂ）は第２構成例に適用したもの
【符号の説明】
２…リール保持部材、２ａ…固定フード、２ｂ…可動フード、３…ダブルナット、３ａ…第１ナット、３ｂ…第２ナット、４…オネジ部、５…弾性リング、６…凹溝、６ｔ…テーパ状の凹溝、７…弾性リング、８…ベアリング。
【図１】
0003097858.tif 000003
【図２】
0003097858.tif 000004
【図３】
0003097858.tif 000005
【図４】
0003097858.tif 000006
【図５】
0003097858.tif 000007
【図６】
0003097858.tif 000008